(57)【要約】【課題】本発明は濾過処理を効率良く行なうことを課題とする。【解決手段】砂層４上に木質パルプ層５を設ける。上記濾過処理層６においては、木質パルプ層５は砂層４の目詰まりを防止して効率良く濾過が行なえる。また濾過処理層６の更新は木質パルプ層５のみ砂層４から剥離し、新しい木質パルプ層５を充填すれば簡単に行なうことが出来る。【選択図】　　図１
2004114019.tif 000002
【特許請求の範囲】
【請求項１】
砂層上に木質パルプ層を設けたことを特徴とする濾過処理層
【発明の詳細な説明】
【０００１】
【発明の属する技術分野】
本発明は工事現場から排出される泥水、富栄養化した池の水、工場廃水等の濾過処理に使用される濾過処理層に関するものである。
【０００２】
【従来の技術】
従来は、砂層中に被処理水を通して該被処理水中の固形分を除去するいわゆる砂濾過処理が行われている。
【０００３】
【発明が解決しようとする課題】
該砂濾過処理にあっては、被処理水中の固形分が砂層上に堆積して目詰まりを起し易いので、度々逆洗等の目詰まり解消手段を施こさねばならないと云う問題点があった。また目詰まり解消手段によって除去された堆積物の多くはそのまゝ廃棄出来ず、脱水、焼却、埋立て等の手間のかゝる処理を必要とする。
【０００４】
【課題を解決するための手段】
本発明は上記従来の問題点を解決するための手段として、砂層（４）　上に木質パルプ層（５）　を設けた濾過処理層（６）　を提供するものである。
【０００５】
【作用】
被処理水はまず木質パルプ層（５）　を通過して粗濾過された上で砂層（４）　を通過して細濾過される。したがって砂層（４）　には被処理水の固形分が堆積しにくゝ、目詰まりが起りにくい状況になっている。
木質パルプ層（５）　は被処理水から及ぼされる濾過圧によって、層内の木質パルプ繊維相互が絡み合い、したがって木質パルプ層（５）　を更新する時は、砂層（４）　から簡単に剥離出来る。
木質パルプは色素や油等に対して大きな吸着能があるので、被処理水に色素や油が混合している場合には、単に濾過のみでなく、これらの吸着除去処理も行われる。
【０００６】
【発明の実施の形態】
本発明を以下に詳細に説明する。
本発明に使用される木質パルプとしては、化学パルプ法、機械パルプ法、半化学パルプ法等によって製造される通常の木質パルプであり、望ましい木質パルプとしては故紙がある。
【０００７】
本発明においては、木質パルプはそのまゝあるいは故紙の場合は通常粉砕して使用されるが、上記木質パルプあるいは故紙粉砕物に硫酸アルミニウム、合成樹脂バインダー等を混合し、所望なれば水と混練した混練物を例えばペレットや紐状に成形してもよい。また故紙の場合には、故紙に多数の穴を明けて丸めたりあるいは故紙をシュレッダー等でリボン状に裁断してそのまゝあるいは合成樹脂バインダー等を混合してもよい。また上記木質パルプにはイオン交換樹脂、活性炭、シリカゲル、ゼオライト、脱臭剤等が混合されてもよい。
【０００８】
本発明に使用される砂としては、川砂、海砂等が使用されるが、通常粒径は５ｍｍ以下で平均粒径は０．５〜０．１ｍｍのものを使用する。
【０００９】
本発明の濾過処理層を形成するには、通常底部に目皿やネット等を張設した槽内にまず砂を充填して砂層を形成し、その上に上記木質パルプを充填して木質パルプ層を充填するが、木質パルプ層は木質パルプを分散した被処理水を上記槽内に形成した砂層に通すことによって形成してもよい。上記砂層と木質パルプ層との容積比は通常５０：５０〜９０：１０程度とする。
【００１０】
〔実施例１〕
図１に濾過槽（１）　を示す。該濾過槽（１）　は底部にステンレススチール製ネット（３）　を張設した槽（２）　と、該槽（２）　内において該ネット（３）　上に形成した砂層（４）　と、該砂層（４）　上に形成した木質パルプ層（５）　とからなり、該砂層（４）　としては５ｍｍ以下、平均粒径０．　３ｍｍの川砂を使用し、該木質パルプ層（５）　としては、故紙をシュレッダーによって粉砕したものを使用した。砂層（４）　の容積は３５０ｌ、木質パルプ層（５）　の容積は１５０ｌであり、砂層（４）　と木質パルプ層（５）　とからなる濾過処理層（６）　において、砂層（４）　と木質パルプ層（５）　との容積比は７：３とした。該槽（２）　の下部にはバルブ（８）　を付した排水口（７）　、上方にはバルブ（１０）を付した被処理水の導入パイプ（９）　が配置される。
【００１１】
シールド工法によるトンネル堀削現場から発生した泥水にはシルト、粘土等の微細粒子が分散しており（ＳＳ分５質量％）、該泥水にはポリアクリルアミド系分散剤を５００ｐｐｍ添加して該微細粒子を凝集せしめ、その後該泥水を導入パイプ（９）　を介して濾過槽（１）　へ導入して濾過を行なった。導入量の割合は２０ｌ／分に設定した。濾過槽（１）　の排水口（７）　から排出される濾水のＳＳ分０．０１質量％に減少し、該濾水はそのまゝ河川に放出可能な状態となった。
【００１２】
濾過開始後５時間で目詰まりが起り濾過不全となったので、濾過処理層（６）　の木質パルプ層（５）　を除去し更新した。該木質パルプ層（５）　は濾過中の圧力によって層内の木質パルプ繊維相互が絡み合うので砂層（４）　から剥離容易であった。
【００１３】
比較として５００ｌの砂層のみを有する濾過槽を用いて同様な濾過を行なったところ、濾過開始後４時間で目詰まりが起り濾過不全となった。
本発明にあっては目詰まりが起った場合、木質パルプ層（５）　のみ更新すれば濾過能が回復するが、上記比較例の場合には砂層を逆洗して堆積物を分離すると云う手間のかゝる再生処理が必要となる。
【００１４】
〔実施例２〕
実施例１の濾過槽（１）　によって染色工場廃水の濾過処理を行なった。該廃水の吸光度（波長４９４ｍｍ）は０．４０、ＳＳ分は８質量％であり、該廃水の導入量は３０ｌ／分に設定した。
【００１５】
上記濾過処理によって排出される濾水の吸光度は０．０９に減少し、ＳＳ分も０．０５質量％に減少した。
【００１６】
前実施例の比較と同様に砂層のみの濾過を行なったところ、濾水のＳＳ分が１．５０質量％に減少したが、吸光度は０．３５であり、脱色効果は木質パルプ層を併用した場合よりも格段に小さいことが認められた。
【００１７】
〔実施例３〕
実施例１の濾過槽（１）　の槽（２）　内に４００ｌの砂層（４）　を充填形成した。該砂層（４）　は粒径は５ｍｍ以下、平均粒径０．３５ｍｍの川砂の充填層である。
【００１８】
富栄養化したあおこの浮遊する池の水のＢＯＤは１０ｐｐｍであり、ＳＳ分は１．０質量％であった。該池の水を吸入して５００ｌを採取し、故紙粉砕物５０ｋｇを該水に投入し激しく攪拌して更に解繊すると共に均一に分散せしめた。
【００１９】
上記木質パルプを分散した５００ｌの池の水を上記砂層（４）　を形成した濾過槽（１）　内に導入し濾過を行うと、該砂層（４）　上に該水中のＳＳ分を混合した木質パルプ層（５）　が形成される。以後該池の水を２０ｌ／分の割合で導入し濾過を行なった。排出される濾水のＢＯＤは６ｐｐｍに減少し、ＳＳ分も０．５質量％に減少した。上記濾過処理は３時間目詰まりを起すことなく継続することが出来た。濾過後木質パルプ層（５）　は砂層（４）　から除去され、発酵室内に蓄積して発酵させれば、作物の堆肥として使用出来る。一方木質パルプを分散させることなく、砂層（４）　のみで濾過処理を行なった場合には、濾過開始後２時間で目詰まりが起り、濾水のＳＳ分は０．８質量％に減少したが、ＢＯＤは８ｐｐｍ残存した。
【００２０】
〔実施例４〕
実施例１において、故紙粉砕物を機械パルプ法によって製造した木質パルプに代えて同様な濾過処理をおこなったところ実施例１と同様な結果が得られた。
【００２１】
【発明の効果】
本発明では長時間目詰まりを起すことなく効率良く濾過を行なうことが出来る。
【図面の簡単な説明】
図１は本発明の一実施例を示すものである。
【図１】濾過槽の側断面説明図
【符号の説明】
１　　　　　濾過槽
２　　　　　槽
３　　　　　　　　ネット
４　　　　　砂層
５　　　　　　　　　木質パルプ層
６　　　　　　　　　濾過処理層
【図１】
2004114019.tif 000003